(57)【要約】【課題】  簡単な回路構成により、異なる電子回路間での信号の流れ込みを阻止可能な電子機器を提供。【解決手段】  信号線４１０−４３０に接続されるプルアップ抵抗１４１−２４２を内蔵した、複数組の回路ユニットとして、常時オン状態で稼働する、少なくとも一組の第１の回路ユニット１００、および、省電力モード時にオフ状態となる、少なくとも一組の第２の回路ユニット２００と、電源３１０および電源制御回路３２０を有し、常時オン状態の出力系統、および、省電力モード時にオフ状態となる出力系統の少なくとも２系統の電力を出力する電源ユニット３００と、を有する。第１の回路ユニット１００７は、第２の回路ユニット２００が省電力モードである時、プルアップ抵抗１４１−２４２に通じる信号線４１０−４３０の接続を、スイッチ回路１７０により遮断する。【選択図】図１
2008182453.tif 000002
【特許請求の範囲】
【請求項１】
信号線に接続されるプルアップ抵抗を内蔵した回路ユニットが複数組搭載される電子機器において、
前記搭載される複数組の回路ユニットとして、常時オン状態で稼働する、少なくとも一組の第１の回路ユニット、および、省電力モード時にオフ状態となる、少なくとも一組の第２の回路ユニットと、
電源および電源制御回路を有し、常時オン状態の出力系統、および、省電力モード時にオフ状態となる出力系統の少なくとも２系統の電力を出力する電源ユニットと、を有し、
前記第１の回路ユニットは、前記第２の回路ユニットが省電力モードである時、前記プルアップ抵抗に通じる信号線の接続を遮断するスイッチ回路を有することを特徴とする電子機器。
【請求項２】
信号線に接続されるプルアップ抵抗を内蔵した回路ユニットが複数組搭載される電子機器において、
前記搭載される複数組の回路ユニットとして、常時オン状態で稼働する、少なくとも一組の第１の回路ユニット、および、省電力モード時にオフ状態となる、少なくとも一組の第２の回路ユニットと、
電源および電源制御回路を有し、常時オン状態の出力系統、および、省電力モード時にオフ状態となる出力系統の少なくとも２系統の電力を出力する電源ユニットと、を有し、
前記第１の回路ユニットは、前記プルアップ抵抗を、前記省電力モード時にオフ状態となる出力系統に接続し、かつ、前記各信号線が接続される内部配線にバッファアンプを介してプルダウン抵抗を接続すること
を特徴とする電子機器。
【請求項３】
請求項１および２のいずれか一項に記載の電子機器において、
前記第１の回路ユニットは、前記第２の回路ユニットに対して省電力モードへの移行を指示する信号を出力する機能を有し、前記省電力モードへの移行を指示する信号を前記電源ユニットに送り、
前記電源ユニットは、これを受けて、前記電源制御回路により、省電力モード時にオフ状態となる出力系統の出力をオフとする制御を行うこと
を特徴とする電子機器。
【請求項４】
請求項１、２および３のいずれか一項に記載の電子機器において、
前記第１の回路ユニットは、マスタとして機能するコントローラであり、前記第２の回路ユニットは、スレーブとして機能するコントローラであること
を特徴とする電子機器。
【発明の詳細な説明】
【技術分野】
【０００１】
本発明は、プルアップ抵抗内蔵の電子回路を有する電子機器に関する。
【背景技術】
【０００２】
プルアップ抵抗を内蔵した集積回路などの電子回路装置が、複数個、それぞれ信号線を介して接続される場合がある。このような電子回路装置のいずれかにおいて、プルアップ抵抗が、オフにならない電源に接続されている場合がある。一方、当該電子回路と信号の授受が行われる他の電子回路装置が、例えば、省電力モード機能を有する場合がある。このような場合に、接続されている信号線を介して、省電力モードになっている電子回路のプルアップ抵抗に、省電力モードになっていない他の電子回路からの電流の流れ込みが生じることとなる。
【０００３】
このような状態を防ぐため、従来は、電子回路装置に外付けで、電流の流れ込みを防止するためのバッファ回路を設けて、双方の電子回路の接続を、バッファ回路を介して行い、省電力モード時、バッファイネーブル信号を制御することによって、電流の流れ込みを防止している。
【０００４】
プルアップ機能を有するバッファセルにおける省電力モード中の電力消費を抑える目的で、プルアップ抵抗をスイッチにより切り離す構成が開示されている。ただし、二つの電子回路間で生じる問題を解決するものではない。
【０００５】
【特許文献１】特開２００３−２８３３２５号公報
【発明の開示】
【発明が解決しようとする課題】
【０００６】
ところで、前述したバッファ回路を介して、電流の流れ込みを防ぐ回路構成は、多くのバッファ回路と、その制御回路とを設けるため、回路構成が複雑になるという問題がある。
【０００７】
一方、特許文献１に示すプルアップ抵抗をスイッチにより切り離す回路構成は、他の回路との間での制御には関わっていないため、前述した問題の解決とはならない。
【０００８】
本発明は、簡単な回路構成により、異なる電子回路間での信号の流れ込みを阻止可能な電子機器を提供することを目的とする。
【課題を解決するための手段】
【０００９】
本発明の第１の態様は、
信号線に接続されるプルアップ抵抗を内蔵した回路ユニットが複数組搭載される電子機器において、
前記搭載される複数組の回路ユニットとして、常時オン状態で稼働する、少なくとも一組の第１の回路ユニット、および、省電力モード時にオフ状態となる、少なくとも一組の第２の回路ユニットと、
電源および電源制御回路を有し、常時オン状態の出力系統、および、省電力モード時にオフ状態となる出力系統の少なくとも２系統の電力を出力する電源ユニットと、を有し、
前記第１の回路ユニットは、前記第２の回路ユニットが省電力モードである時、前記プルアップ抵抗に通じる信号線の接続を遮断するスイッチ回路を有することを特徴とする電子機器である。
【００１０】
このような構成によれは、第２の回路ユニットが省電力モードで電源オフ状態となった場合、スイッチ回路により、第１の回路ユニットと第２の回路ユニットとを接続する信号線を遮断するため、電流の貫流を阻止することができる。
【００１１】
本願発明の第２の態様は、
信号線に接続されるプルアップ抵抗を内蔵した回路ユニットが複数組搭載される電子機器において、
前記搭載される複数組の回路ユニットとして、常時オン状態で稼働する、少なくとも一組の第１の回路ユニット、および、省電力モード時にオフ状態となる、少なくとも一組の第２の回路ユニットと、
電源および電源制御回路を有し、常時オン状態の出力系統、および、省電力モード時にオフ状態となる出力系統の少なくとも２系統の電力を出力する電源ユニットと、を有し、
前記第１の回路ユニットは、前記プルアップ抵抗を、前記省電力モード時にオフ状態となる出力系統に接続し、かつ、前記各信号線が接続される内部配線にバッファアンプを介してプルダウン抵抗を接続すること
を特徴とする電子機器である。
【００１２】
このような構成とすることにより、常時オンである第１回路ユニットの一部の回路が、省電力モードに合わせて、オフ状態となり得る。オフ状態であれば、信号線を通じての電流の流れ込みが阻止されるため、ノイズ電流の発生を遮断することができる。
【発明の効果】
【００１３】
本発明によれば、簡単な回路構成により、異なる電子回路間での信号の流れ込みを阻止可能な電子機器を提供することができる。
【発明を実施するための最良の形態】
【００１４】
以下、実施形態について、図面を参照して説明する。以下に示す実施形態では、電子機器として、プリンタに設けられるコントローラに適用する場合を例として説明する。もちろん、実施形態は、プリンタに設けられるコントローラに限定されるものではない。
【００１５】
プリンタのコントローラは、画像処理を担当するコントローラと、プリンタのプリントエンジンを制御するコントローラとにより構成され、これらが電源ユニットにより給電されて駆動される。以下に示す実施形態では、画像処理を担当するコントローラを、マスタとして機能するコントローラＭとし、プリントエンジンを制御するコントローラを、スレーブとして機能するコントローラＳとしている。
【００１６】
本実施形態では、省電力モードの機能が付加されており、設定された時間にプリント要求がない、または、パネル操作がなされなかった場合、コントローラＭは、コントローラＳに供給している電力をオフするよう電源ユニットに指示して、省電力モードを実現している。すなわち、省電力モードに移行すると、コントローラＳは、すべての電源がオフ状態となる。一方、コントローラＭは、電源オン状態のまま維持される。
【００１７】
図１に、第一の実施形態に係る回路図を示す。図１に示すように、本実施形態では、コントローラＭとして機能する第１の回路ユニット１００と、コントローラＳとして機能する第２の回路ユニット２００と、これらの回路ユニット１００，２００に電力を供給する電源ユニット３００とを有する。本実施形態では、回路ユニット１００および２００を示すが、回路ユニットはさらに多くのものを備えることもある。
【００１８】
第１の回路ユニット１００と第２の回路ユニット２００には、データの授受を行う信号線４１０および４２０と、通信の送受信を切り替える信号の授受を行う信号線４３０とが接続されている。第１の回路ユニット１００と第２の回路ユニット２００との間では、UART方式で通信を行う一例を示している。
【００１９】
また、第１の回路ユニット１００と電源ユニット３００には、常時オン状態で電力を供給する給電線３１１と、第１の回路ユニット１００からの指令を伝送する信号線（スリープ信号線）１２１とが接続されている。さらに、第２の回路ユニット２００と電源ユニット３００とには、省電力モード時にオフ状態となり得る電力を供給する給電線３１２が接続されている。
【００２０】
第１の回路ユニット１００は、当該回路ユニット１００に、使用目的に応じた動作をさせるための制御を行うＣＰＵ１１０と、このＣＰＵ１１０の制御下で動作する電子回路１２０とを有する。この第１の回路ユニット１００は、本実施形態では、マスタコントローラＭとして機能する。前述したように、プリンタにおいて画像処理を行うコントローラに適用される。
【００２１】
電子回路１２０は、様々な機能を実現するための回路要素を搭載した集積回路により構成される。ここでは、本実施形態に関係する部分、主としてインタフェース部分について示す。この電子回路１２０は、他の電子回路２００との通信を行うための通信モジュール１３０と、スイッチ回路１７０と、信号線４１０に接続されるバッファアンプ１５１と、信号線４２０接続されるバッファアンプ１５２と、信号線４３０に接続される切換回路構成するバッファアンプ１６１および１６２と、バッファアンプ１５２の入力側に接続されるプルアップ抵抗１４１と、バッファアンプ１６１の入力側に接続されるプルアップ抵抗１４２とを有する。
【００２２】
スイッチ回路１７０は、バッファアンプ１５１、１５２、１６１および１６２と、対応する信号線４１０，４２０および４３０との間に対応して配置され、それらのアンプ１５１、１５２、１６１および１６２と、対応する信号線４１０，４２０および４３０とを、オン状態では接続し、オフ状態では接続を遮断するスイッチ素子１７１、１７２および１７３と、これらのスイッチ素子１７１，１７２および１７３のオンオフを制御するレジスタ１７４とを有する。スイッチ素子１７１、１７２および１７３は、オフ状態では、接続される信号線４１０，４２０および４３０を、対応するバッファアンプ１５１、１５２、１６１および１６２と切り離して、接地電位とする。このレジスタ１７４には、ＣＰＵ１１０からの指令に応じてスイッチのオンオフに対応する値が設定される。例えば、“１”がオン、“０”がオフであればそのような値が設定される。このレジスタの設定値に応じて、各スイッチ素子１７１，１７２および１７３が、オン状態またはオフ状態となる。プルアップ抵抗１４１および１４２についても、対応するスイッチ素子１７２および１７３により、信号線４２０および４３０との接続が、オン状態またはオフ状態となる。
【００２３】
第２の回路ユニット２００は、当該回路ユニット２００に、使用目的に応じた動作をさせるための制御を行うＣＰＵ２１０と、このＣＰＵ２１０の制御下で動作する電子回路２２０とを有する。この第２の回路ユニット２００は、本実施形態では、スレーブコントローラＳとして機能する。前述したように、プリントエンジンの制御を行うコントローラに適用される。
【００２４】
電子回路２２０は、様々な機能を実現するための回路要素を搭載した集積回路により構成される。ここでは、本実施形態に関係する部分、主としてインタフェース部分について示す。この電子回路２２０は、他の電子回路１００との通信を行うための通信モジュール２３０と信号線４１０に接続されるバッファアンプ２５１と、信号線４２０接続されるバッファアンプ２５２と、信号線４３０に接続される切換回路構成するバッファアンプ２６１および２６２と、バッファアンプ２５１の入力側に接続されるプルアップ抵抗２４１と、バッファアンプ２６１の入力側に接続されるプルアップ抵抗２４２とを有する。
【００２５】
第２の回路ユニット２００は、給電線３１２を介してオフ状態となり得る電力が給電される。
【００２６】
次に、本実施形態の動作について、図２を合わせて参照して説明する。図２において、（ａ）は、スイッチ回路１７０におけるスイッチをオン／オフのいずれかの状態とするための制御を示す。ハイレベルが接続状態を、ローレベルが切断状態を示す。図２（ｂ）は、スリープ信号線１２１における信号の状態を示す。ハイレベルは、スタンバイ状態で、信号線が接続されている状態である。図２（ｃ）は給電線３１２における給電状態を示す。ハイレベルは、電力が供給されているオン状態を示す。
【００２７】
まず、回路ユニット１００及び２００が共に動作状態であるとする。この場合には、電源ユニット３００において、電源制御回路３２０は、電源３１０から、常時オン状態で電力を出力する第１の系統と、省電力モード時にオフ状態となる電力を出力する第２の系統（省電力時切れる電源）とから、共に電力を出力している。図２（ａ）に示すように、スイッチ回路１７０は、すべてのスイッチ素子がオン状態で、通信が可能となっている。また、スリープを指示するスリープ信号も、図２（ｂ）に示すように、スタンバイ状態である。その結果、省電力時切れる電源から、所定の電力が給電線３１２を介して第２の回路ユニット２００に給電されている。もちろん、第１の回路ユニット１００にも、常時オン状態の電力が給電線３１１を介して給電されている。
【００２８】
次に、省電力モードに移行する場合、コントローラＭ１００は、コントローラＳ２００に対して省電力に移行することを告げる。そして、コントローラＳ２００から了解を受けると、ＣＰＵ１１０は、レジスタ１７４に、スイッチ回路１７０の各スイッチ素子１７１−１７３がオフ状態となる値を設定する。これを受けて、各スイッチ素子１７１−１７３がオフ状態となる。すなわち、図２（ａ）に示す切断状態となる。これを受けて、電子回路１２０は、スリープ（Sleep）信号を、スリープ信号線１２１を介して電源制御回路３２０に送る。すなわち、図２（ｂ）に示すように、スリープ信号がローレベルに変わる。スリープ信号を受けて、電力制御回路は、省電力時切れる電源をオフ状態とする。このため、給電線３１２の電圧が０ｖとなる。その結果は、第２の回路ユニットがスリープ状態となり、省電力化が図れる。このとき、信号線４１０、４２０および４３０が電子回路１２０に対する接続を遮断されている。したがって、電子回路１２０と２２０との間に電位差が生じても、それに起因する電流の流れ込みを阻止することができる。
【００２９】
次に、元の状態に戻る場合には、プリント要求が来た、あるいは、パネル操作あった場合に、コントローラＭ１００のＣＰＵ_１（１１０）が認識し、電子回路１２０から出力するスリープ信号１２１を解除する。つまり、Ｌ→Ｈにする。それを受けて電源制御回路３２０は、省電力時切れる電源を元に戻す。電源が安定するまで十分に時間を確保した後、スイッチ回路１７０のスイッチ素子１７１−１７３をオン状態とする。これにより、通信モジュール１３０と２３０とが通信可能な状態にする。
【００３０】
次に、第２の実施形態について、図３を参照して説明する。この実施形態は、第１の電子回路のインタフェース部を切れる電源により給電するものである。第１の実施形態と同じ要素には同じ符号を付して、重複した説明を省略する。すなわち、ここでは、相違点を中心に説明する。
【００３１】
第１の電子回路１２０には、当該電子回路の他の部分とは電源系統を分けた領域がインタフェース回路部１８０として設けられている。このインタフェース回路部１８０には、信号線４１０に接続されるバッファアンプ１５１と、信号線４２０接続されるバッファアンプ１５２と、信号線４３０に接続される切換回路構成するバッファアンプ１６１および１６２と、バッファアンプ１５２の入力側に接続されるプルアップ抵抗１４１と、バッファアンプ１６１の入力側に接続されるプルアップ抵抗１４２とが設けられている。これらは、給電ピン１８１を介して、電子回路２２０からの給電線４４０を介して送られる、省電力時切れる電源により給電される。
【００３２】
このような構成としたことから、電子回路１２０には、各バッファアンプ１５１、１５２、１６１および１６２の対応する信号線と接続される側とは反対側に、それぞれプルダン抵抗１９１、１９２および１９３が設けられる。
【００３３】
第２の電子回路２２０については、専用ピン１８１への給電線４４０の出力端子が設けられる他は、図１に示すものと同様の構成を有する。
【００３４】
このような構成において、回路ユニット１００及び２００が共に動作状態であるとする。この場合には、電源ユニット３００において、電源制御回路３２０は、電源３１０から、常時オン状態で電力を出力する第１の系統の電力を、給電性３１１を介して電子回路ユニット１００（インタフェース回路部１８０を除く）に、省電力モード時にオフ状態となる電力を出力する第２の系統（省電力時切れる電源）の電力を、給電線３１２を介して電子回路ユニット２２０に供給する。さらに、電子回路ユニット２００から、給電線４４０を介して電子回路ユニット１００の専用ピン１８１から、図示しない内部配線を介して、インタフェース回路部１８０に給電される。
【００３５】
次に、省電力モードに移行する場合、前述した実施系統と同様にスリープ（Sleep）信号が電子回路１２０からスリープ信号線１２１を介して電源制御回路３２０に送られる。すなわち、図２（ｂ）に示すように、スリープ信号がローレベルに変わる。スリープ信号を受けて、電力制御回路は、省電力時切れる電源をオフ状態とする。このため、給電線３１２の電圧が０Ｖとなる。その結果は、第２の回路ユニットがスリープ状態となり、省電力化が図れる。このとき、インタフェース回路部１８０についても、第２の回路ユニット２００と同様に、スリープ状態となり、省電力化が図れる。したがって、信号線４１０、４２０および４３０が電子回路１２０に対する接続を遮断されることとなる。その結果、電子回路１２０と２２０との間に電位差が生じても、それに起因する電流の流れ込みを阻止することができる。
【００３６】
次に、元の状態に戻る場合には、プリント要求が来た、あるいは、パネル操作あった場合に、コントローラＭ１００のＣＰＵ_１（１１０）が認識し、電子回路１２０から出力するスリープ信号１２１を解除する。つまり、Ｌ→Ｈにする。それを受けて電源制御回路３２０は、省電力時切れる電源を元に戻す。電源が安定するまで十分に時間を確保した後、スイッチ回路１７０のスイッチ素子１７１−１７３をオン状態とする。これにより、通信モジュール１３０と２３０とが通信可能な状態にする。
【図面の簡単な説明】
【００３７】
【図１】本発明の一実施形態に係る回路図。
【図２】本発明の一実施形態における動作時の波形を示す波形図。
【図３】本発明の他の一実施形態に係る回路図。
【符号の説明】
【００３８】
１００…第１の回路ユニット（コントローラＭ）、１１０…中央演算ユニット（ＣＰＵ）、１２０…電子回路、１２１…スリープ信号線、１３０…通信モジュール、１４１、１４１…プルアップ抵抗、１５１，１５２，…バッファアンプ、１６１、１６２…入出力切換回路、１７０…スイッチ回路、１７１、１７２、１７３…スイッチ回路、１７４…レジスタ、１８０…インタフェース回路部、１８１…専用ピン、２００…第２の回路ユニット（コントローラＳ）、２１０…中央演算ユニット（ＣＰＵ）、２２０…電子回路、２３０…通信モジュール、２４１、２４１…プルアップ抵抗、２５１，２５２，…バッファアンプ、２６１、２６２…入出力切換回路、３００…電源ユニット、３１０…電源、３１１…常時オン電源線、３１２…スリープモード時オフ電源線、３２０…電源制御回路、４１０、４２０…データ線、４３０…信号線、４４０…電源線。
【図１】
2008182453.tif 000003
【図２】
2008182453.tif 000004
【図３】
2008182453.tif 000005